(57)【特許請求の範囲】
【請求項１】
複数のロジカルチャネルのうちの各一本のロジカルチャネルのデータ伝送路中の、互いに同一の第１のサブレイヤに置かれ、該各１本のロジカルチャネルから受け取ったデータに、受信側の、該第１のサブレイヤと同一のサブレイヤに置かれた対向エンティティに渡す第１の制御情報を付加して送り出す複数の第１のデータ処理部と、
トランスポートチャネルと複数のロジカルチャネルとの間のデータ伝送を仲立ちする第２のサブレイヤに置かれ、複数のロジカルチャネルから受け取ったデータを統合するとともに、受信側の、該第２のサブレイヤと同一のサブレイヤに置かれた対向エンティティに渡す第２の制御情報を付加してトランスポートチャネルに送り出す第２のデータ処理部と、
前記第２のデータ処理部からトランスポートチャネルを経由して送られてきたデータを受け取って無線で送信するデータ送信部とを備えた無線送信装置において、
受信側の、前記第１のサブレイヤと同一のサブレイヤに置かれた複数の対向エンティティに向けて同一の第１の制御情報を伝える場面であることを、当該無線送信装置と該受信側との間の通信状況に基づいて判定する制御判定部を備え、
前記第２のデータ処理部は、前記制御判定部による、受信側の、前記第１のサブレイヤと同一のサブレイヤに置かれた複数の対向エンティティに向けて同一の第１の制御情報を伝える場面であることの判定を受けて、複数のロジカルチャネルから受け取ったデータを統合するとともに、該第１の制御情報と同一の内容の、受信側の、前記第２のサブレイヤと同一のサブレイヤに置かれた対向エンティティで取り扱われる第２の制御情報を付加してトランスポートチャネルに送り出すものであることを特徴とする無線送信装置。
【請求項２】
無線で送信されてきたデータを受信してトランスポートチャネルに送り込むデータ受信部と、
トランスポートチャネルと複数のロジカルチャネルとの間のデータ伝送を仲立ちする第３のサブレイヤに置かれ、トランスポートチャネルから受け取ったデータから該データに付加されている第３の制御情報に応じた動作を行ない、該データから該第３の制御情報を取り外しさらに各ロジカルチャネルに対応するデータに分離して各ロジカルチャネルに分配する第３のデータ処理部と、
複数のロジカルチャネルのうちの各１本のロジカルチャネルのデータ伝送路中の、互いに同一の第４のサブレイヤに置かれ、該各１本のロジカルチャネルから受け取ったデータに付加されている第４の制御情報に応じた動作を行ない、該データから該第４の制御情報を取り外して該各１本のロジカルチャネルに送り出す複数の第４のデータ処理部とを備えた無線受信装置において、
前記第３の制御情報は、該第３の制御情報が動作を制御する制御先が記録されたものであり、
前記第３の制御情報が前記複数の第４のデータ処理部の動作を制御する制御情報であることを、該第３の制御情報に記録された制御先に基づいて判定する情報判定部を備え、
前記第３のデータ処理部は、前記情報判定部による、前記第３の制御情報が前記複数の第４のデータ処理部の動作を制御する制御情報であることの判定を受けて、トランスポートチャネルから受け取ったデータから該第３の制御情報を取り外して各ロジカルチャネルに対応するデータに分離し、さらに、分離した各ロジカルチャネルごとのデータに、該第３の制御情報と同一内容の、前記複数の第４のデータ処理部でそれぞれ取り扱われる第４の制御情報を付加して、各ロジカルチャネルに分配するものであることを特徴とする無線受信装置。
【請求項３】
複数のロジカルチャネルのうちの各一本のロジカルチャネルのデータ伝送路中の、互いに同一の第１のサブレイヤに置かれ、該各１本のロジカルチャネルから受け取ったデータに、受信側の、該第１のサブレイヤと同一のサブレイヤに置かれた対向エンティティに渡す第１の制御情報を付加して送り出す複数の第１のデータ処理部と、
トランスポートチャネルと複数のロジカルチャネルとの間のデータ伝送を仲立ちする第２のサブレイヤに置かれ、複数のロジカルチャネルから受け取ったデータを統合するとともに、受信側の、該第２のサブレイヤと同一のサブレイヤに置かれた対向エンティティに渡す第２の制御情報を付加してトランスポートチャネルに送り出す第２のデータ処理部と、
前記第２のデータ処理部からトランスポートチャネルを経由して送られてきたデータを受け取って無線で送信するデータ送信部とを備えた無線送信装置における無線送信方法において、
前記無線送信装置において、受信側の、前記第１のサブレイヤと同一のサブレイヤに置かれた複数の対向エンティティに向けて同一の第１の制御情報を伝える場合であるか否かを、該無線送信装置と該受信側との間の通信状況に基づいて判定する第１ステップと、
前記第２のデータ処理部が、前記第１ステップによる、受信側の、前記第１のサブレイヤと同一のサブレイヤに置かれた複数の対向エンティティに向けて同一の第１の制御情報を伝える場面であることの判定を受けて、複数のロジカルチャネルから受け取ったデータを統合するとともに、該第１の制御情報と同一の内容の、受信側の、前記第２のサブレイヤと同一のサブレイヤに置かれた対向エンティティで取り扱われる第２の制御情報を付加してトランスポートチャネルに送り出す第２ステップとを有することを特徴とする無線送信方法。
【請求項４】
無線で送信されてきたデータを受信してトランスポートチャネルに送り込むデータ受信部と、
トランスポートチャネルと複数のロジカルチャネルとの間のデータ伝送を仲立ちする第３のサブレイヤに置かれ、トランスポートチャネルから受け取ったデータから該データに付加されている第３の制御情報に応じた動作を行ない、該データから該第３の制御情報を取り外しさらに各ロジカルチャネルに対応するデータに分離して各ロジカルチャネルに分配する第３のデータ処理部と、
複数のロジカルチャネルのうちの各１本のロジカルチャネルのデータ伝送路中の、互いに同一の第４のサブレイヤに置かれ、該各１本のロジカルチャネルから受け取ったデータに付加されている第４の制御情報に応じた動作を行ない、該データから該第４の制御情報を取り外して該各１本のロジカルチャネルに送り出す複数の第４のデータ処理部とを備えた無線受信装置における無線受信方法において、
前記第３の制御情報は、該第３の制御情報が動作を制御する制御先が記録されたものであり、
前記無線受信装置において、前記第３の制御情報が前記複数の第４のデータ処理部の動作を制御する制御情報であることを、該第３の制御情報に記録された制御先に基づいて判定する第３ステップと、
前記第３のデータ処理部が、前記第３ステップによる、前記第３の制御情報が前記複数の第４のデータ処理部の動作を制御する制御情報であることの判定を受けて、トランスポートチャネルから受け取ったデータから該第３の制御情報を取り外して各ロジカルチャネルに対応するデータに分離し、さらに、分離した各ロジカルチャネルごとのデータに、該第３の制御情報と同一内容の、前記複数の第４のデータ処理部それぞれで取り扱われる第４の制御情報を付加して、各ロジカルチャネルに分配する第４ステップとを有することを特徴とする無線受信方法。
【請求項５】
無線通信のプロトコルを用いてデータを送信する無線送信方法において、
上位レイヤで、ロジカルチャネル毎のデータに付与する制御情報それぞれが同一の制御情報である場合、複数のロジカルチャネルを介して送られてきたデータを１本のデータに統合し、その統合した１本のデータに１つの前記制御情報を付与して下位レイヤへ送信する無線送信方法。
【発明の詳細な説明】
【技術分野】
【０００１】
本発明は、無線送信装置、無線受信装置、無線通信装置、無線送信方法、および無線受信方法に関する。
【背景技術】
【０００２】
近年、３Ｇ（３ｒｄ  ｇｅｎｅｒａｔｉｏｎ）と呼ばれる無線通信システムのプロトコルが広く採用されている（非特許文献１）。
【０００３】
この３Ｇにもいくつかの発展段階があり、ＦＯＭＡなどで採用されているもともとの３Ｇのほか、通信速度が更に高速化された、３．５ＧあるいはＨＳＤＰＡと呼ばれるプロトコルを採用した携帯電話機も登場してきており、さらに現在、Ｓｕｐｅｒ３Ｇあるいは３．９Ｇと呼ばれるプロトコルが検討されている。
【０００４】
この３Ｇのグループの無線通信システムにおけるプロトコルは複数のレイヤに分かれており、そのうちのレイヤ２は、ＭＡＣ（Ｍｅｄｉｕｍ  Ａｃｃｅｓｓ  Ｃｏｎｔｒｏｌ）と、ＲＬＣ（Ｒａｄｉｏ  Ｌｉｎｋ  Ｃｏｎｔｒｏｌ）と、ＰＤＣＰ（Ｐａｃｋｅｔ  Ｄａｔｅ  Ｃｏｎｖｅｒｇｅｎｃｅ  Ｐｒｏｔｏｃｏｌ）とからなる３つのサブレイヤで構成されている。
【０００５】
図１は、プロトコル構成図である。
【０００６】
レイヤ１は物理層と呼ばれるレイヤであり、このレイヤ１は実際の通信を担う部分である。
【０００７】
また、その上層に位置するレイヤ２は、ＭＡＣとＲＬＣとＰＤＣＰの３つのサブレイヤで構成されている。
【０００８】
ここで、１つのレイヤ又は１つのサブレイヤに配置された１つの処理機能の塊りはエンティティ（ｅｎｔｉｔｙ）と呼ばれており、ＰＤＣＰエンティティとＲＬＣエンティティは、各ＬＣＨ（Ｌｏｇｉｃａｌ  Ｃｈａｎｎｅｌ：ロジカルチャネル）に対応して、使用するＬＣＨの数だけ存在し、それぞれが１対１で対応してＰＤＵ（Ｐｒｏｔｏｃｏｌ  Ｄａｔａ  Ｕｎｉｔ）の送受信を行なっている。ここで、ＰＤＣＰエンティティでは、３．９Ｇ（Ｓｕｐｅｒ３Ｇ）ではデータの秘匿等の処理が行なわれ、ＲＬＣエンティティでは、データの再送制御等の処理が行なわれる。
【０００９】
また、ＭＡＣエンティティは、各ＲＬＣエンティティから各ＬＣＨを介して転送されてきたＰＤＵを１つのＰＤＵに統合してＴＲＣＨ（Ｔｒａｎｓｐｏｒｔ  Ｃｈａｎｎｅｌ）を介して下位レイヤであるレイヤ１に転送する。
【００１０】
受信側では、ＭＡＣエンティティは、レイヤ１からＴＲＣＨを介して転送されてきたＰＤＵを１つ又は複数のＰＤＵに分割し、分割した各ＰＤＵを各ＬＣＨを介して各ＲＬＣエンティティに転送している。
【００１１】
ここで、各ＰＤＵには、ユーザデータだけでなく、対向側のエンティティに必要な制御情報も付与して対向側と情報交換できる仕組みが３ＧＰＰ（３ｒｄ  Ｇｅｎｅｒａｔｉｏｎ  Ｐａｒｔｎｅｒｓｓｈｉｐ  Ｐｒｏｊｅｃｔ）で検討されている。
【００１２】
図２は、制御情報を付与した場合のデータフローの一例を示す図である。
【００１３】
ここでは、ＬＣＨ＃１のＲＬＣエンティティにおいて、ＰＤＣＰエンティティから受け取ったＳＤＵ（Ｓｏｕｃｅ  Ｄａｔｅ  Ｕｎｉｔ）にヘッダＨと制御情報ＣＯＮＴが付与され、新たなＳＤＵとしてＭＡＣエンティティに送られている。ＬＣＨ＃２のＲＬＣエンティティでは、ＰＤＣＰエンティティから受け取ったＳＤＵにはヘッダＨのみ付与し、新たなＳＤＵとしてＭＡＣエンティティに送られている。
【００１４】
ＭＡＣエンティティでは、ＬＣＨ＃１のＲＬＣエンティティから受け取ったＳＤＵとＬＣＨ＃２のＲＬＣエンティティから受け取ったＳＤＵを統合しさらにヘッダＨを付与して１つのＰＤＵを形成してレイヤ１に渡している。
【００１５】
レイヤ１は、このＰＤＵを受信側に向けて無線で送信する。
【００１６】
ＬＣＨ＃１のＲＬＣエンティティで付与された制御情報ＣＯＮＴは、受信側の対向エンティティ、すなわち、受信側のＬＣＨ＃１のＲＬＣエンティティで参照され、受信側のＬＣＨ＃１以外のＬＣＨのＲＬＣエンティティや、他のレイヤ又はサブレイヤのエンティティ、すなわちレイヤ１のエンティティやＭＡＣエンティティ、ＰＤＣＰエンティティでは参照されない。
【非特許文献１】ｈｔｔｐ：／／ｗｗｗ．３ｇｐｐ．ｏｒｇ／
【発明の開示】
【発明が解決しようとする課題】
【００１７】
送受信ＰＤＵにユーザデータだけでなく、対向エンティティとの制御情報も付与できることは、３ＧＰＰ標準化により検討されており、これにより、各エンティティ間では制御情報の交換が可能となる。これは、対向エンティティどうしの間で固有の制御情報を交換する場合に適している。
【００１８】
しかし、ハンドオーバ情報、リセット情報のような、同一サブレイヤ内のあるＬＣＨの対向するエンティティ間だけでなく、同一サブレイヤ内の全エンティティ、又はレイヤ２内の全エンティティなどに同一内容の制御情報をそれぞれ送受信しようとした場合、現状は各エンティティでＰＤＵを作成するときに各エンティティごとに制御情報を付与することになり、結果的には全エンティティに制御情報は行き渡るが、ＭＡＣエンティティとレイヤ１間の送受信ＰＤＵとしては、その制御情報の分だけサイズが大きくなり、無線送信に負担がかかるという課題がある。
【００１９】
図３は、ＲＬＣサブレイヤの全エンティティに対し同じ内容の制御情報を送信する場合の例を示す図である。
【００２０】
図３に示すように、送信側では、全てのＰＬＣエンティティで、ＰＤＵにヘッダＨとともに制御情報ＣＯＮＴが付与されてＭＡＣエンティティに送信され、ＭＡＣエンティティではヘッダＨが付与されてレイヤ１に転送されて無線送信される。
【００２１】
この場合、各ＲＬＣエンティティで付与された各制御情報は対向側の同一のＬＣＨのＲＬＣエンティティでそれぞれ参照されるため、対向側の全てのＲＬＣエンティティに制御情報を届けることができたことになるが、同じ制御情報が複数存在することになるため無線通信のトラフィック増を招くおそれがある。
【００２２】
本発明は、上記事情に鑑み、同じ制御情報を対向側の複数のエンティティに送信する必要がある場合に、無線送信のデータサイズを抑えることにより無線通信のトラフィック量を抑えつつ、対向側の複数のエンティティに伝える制御情報を送信する無線送信装置および無線送信方法、および１つの制御情報を複数のエンティティに伝える機能を備えた無線受信装置および無線受信方法、並びにそれらの無線送信装置と無線受信装置が搭載された無線通信装置を提供することを目的とする。
【課題を解決するための手段】
【００２３】
上記目的を達成する本発明の無線送信装置は、
複数のロジカルチャネルのうちの各一本のロジカルチャネルのデータ伝送路中の、互いに同一の第１のサブレイヤに置かれ、各１本のロジカルチャネルから受け取ったデータに、受信側の、第１のサブレイヤと同一のサブレイヤに置かれた対向エンティティに渡す第１の制御情報を付加して送り出す複数の第１のデータ処理部と、
トランスポートチャネルと複数のロジカルチャネルとの間のデータ伝送を仲立ちする第２のサブレイヤに置かれ、複数のロジカルチャネルから受け取ったデータを統合するとともに、受信側の、第２のサブレイヤと同一のサブレイヤに置かれた対向エンティティに渡す第２の制御情報を付加してトランスポートチャネルに送り出す第２のデータ処理部と、
上記第２のデータ処理部からトランスポートチャネルを経由して送られてきたデータを受け取って無線で送信するデータ送信部とを備えた無線送信装置において、
受信側の、上記第１のサブレイヤと同一のサブレイヤに置かれた複数の対向エンティティに向けて同一の第１の制御情報を伝える場面であることを判定する制御判定部を備え、
上記第２のデータ処理部は、受信側の、上記第１のサブレイヤと同一のサブレイヤに置かれた複数の対向エンティティに向けて同一の第１の制御情報を伝える場面において、複数のロジカルチャネルから受け取ったデータを統合するとともに、その第１の制御情報と同一の内容の、受信側の、上記第２のサブレイヤと同一のサブレイヤに置かれた対向エンティティで取り扱われる第２の制御情報を付加してトランスポートチャネルに送り出すものであることを特徴とする。
【００２４】
ここで、上記第２のデータ処理部は、受信側の、上記第１のサブレイヤと同一のサブレイヤに置かれた複数の対向エンティティに向けて同一の第１の制御情報を伝える場面において、複数のロジカルチャネルから受け取ったデータを統合するとともに、その第１の制御情報と同一の内容であって、さらに、受信側の、上記第２のサブレイヤと同一のサブレイヤに置かれた対向エンティティで取り扱われる制御情報であることを記載した第２の制御情報を付加してトランスポートチャネルに送り出すものであることが好ましい。
【００２５】
本発明の無線送信装置において、典型的には、上記第１のデータ処理部は、ＭＡＣエンティティであり、上記第２のデータ処理部は、ＲＬＣおよびＰＤＣＰのうちの一方のエンテイティであり、上記制御判定部は、ＲＲＣエンティティである。
【００２６】
本発明の無線送信装置は、複数の第１のデータ処理部（複数のＲＬＣ又はＰＤＣＰエンティティ）が同一の制御情報（第１の制御情報）を付加することに代わり、第２のデータ処理部（ＭＡＣエンティティ）がその第１の制御情報と同一内容の第２の制御情報を付加してデータ送信部（レイヤ１）に渡すものであるため、トラフィック量を増加させずに対向側に制御情報を伝えることができる。
【００２７】
また、上記目的を達成する本発明の無線受信装置は、
無線で送信されてきたデータを受信してトランスポートチャネルに送り込むデータ受信部と、
トランスポートチャネルと複数のロジカルチャネルとの間のデータ伝送を仲立ちする第３のサブレイヤに置かれ、トランスポートチャネルから受け取ったデータからそのデータに付加されている第３の制御情報に応じた動作を行ない、そのデータから第３の制御情報を取り外しさらに各ロジカルチャネルに対応するデータに分離して各ロジカルチャネルに分配する第３のデータ処理部と、
複数のロジカルチャネルのうちの各１本のロジカルチャネルのデータ伝送路中の、互いに同一の第４のサブレイヤに置かれ、各１本のロジカルチャネルから受け取ったデータに付加されている第４の制御情報に応じた動作を行ない、そのデータから第４の制御情報を取り外して各１本のロジカルチャネルに送り出す複数の第４のデータ処理部とを備えた無線受信装置において、
上記第３のデータ処理部は、上記第３の制御情報が複数の第４のデータ処理部の動作を制御する制御情報であった場合に、トランスポートチャネルから受け取ったデータから第３の制御情報を取り外して各ロジカルチャネルに対応するデータに分離し、さらに、分離した各ロジカルチャネルごとのデータに、その第３の制御情報と同一内容の、複数の第４のデータ処理部でそれぞれ取り扱われる第４の制御情報を付加して、各ロジカルチャネルに分配するものであることを特徴とする。
【００２８】
ここで、本発明の無線受信装置において、上記第３のデータ処理部は、上記第３の制御情報の記載内容に基づいて、その第３の制御情報が複数の第４のデータ処理部の動作を制御する制御情報であるか否かを判定するものであることが好ましい。
【００２９】
本発明の無線受信装置は、典型的には、上記第３のデータ処理部は、ＭＡＣエンティティであり、上記第４のデータ処理部は、ＲＬＣおよびＰＤＣＰのうちの一方のエンティティである。
【００３０】
また、上記目的を達成する本発明の無線通信装置は、本発明の無線送信装置と本発明の無線受信装置との双方が搭載されていることを特徴とする。
【００３１】
さらに、上記目的を達成する本発明の無線送信方法は、
複数のロジカルチャネルのうちの各一本のロジカルチャネルのデータ伝送路中の、互いに同一の第１のサブレイヤに置かれ、各１本のロジカルチャネルから受け取ったデータに、受信側の、第１のサブレイヤと同一のサブレイヤに置かれた対向エンティティに渡す第１の制御情報を付加して送り出す複数の第１のデータ処理部と、
トランスポートチャネルと複数のロジカルチャネルとの間のデータ伝送を仲立ちする第２のサブレイヤに置かれ、複数のロジカルチャネルから受け取ったデータを統合するとともに、受信側の、第２のサブレイヤと同一のサブレイヤに置かれた対向エンティティに渡す第２の制御情報を付加してトランスポートチャネルに送り出す第２のデータ処理部と、
上記第２のデータ処理部からトランスポートチャネルを経由して送られてきたデータを受け取って無線で送信するデータ送信部とを備えた無線送信装置における無線送信方法において、
受信側の、上記第１のサブレイヤと同一のサブレイヤに置かれた複数の対向エンティティに向けて同一の第１の制御情報を伝える場合であるか否かを判定する第１ステップと、  上記第２のデータ処理部が、第１ステップによる、受信側の、上記第１のサブレイヤと同一のサブレイヤに置かれた複数の対向エンティティに向けて同一の第１の制御情報を伝える場面であることの判定を受けて、複数のロジカルチャネルから受け取ったデータを統合するとともに、その第１の制御情報と同一の内容の、受信側の、上記第２のサブレイヤと同一のサブレイヤに置かれた対向エンティティで取り扱われる第２の制御情報を付加してトランスポートチャネルに送り出す第２ステップとを有することを特徴とする。
【００３２】
さらに、上記目的を達成する本発明の無線受信方法は、
無線で送信されてきたデータを受信してトランスポートチャネルに送り込むデータ受信部と、
トランスポートチャネルと複数のロジカルチャネルとの間のデータ伝送を仲立ちする第３のサブレイヤに置かれ、トランスポートチャネルから受け取ったデータからそのデータに付加されている第３の制御情報に応じた動作を行ない、そのデータから第３の制御情報を取り外しさらに各ロジカルチャネルに対応するデータに分離して各ロジカルチャネルに分配する第３のデータ処理部と、
複数のロジカルチャネルのうちの各１本のロジカルチャネルのデータ伝送路中の、互いに同一の第４のサブレイヤに置かれ、各１本のロジカルチャネルから受け取ったデータに付加されている第４の制御情報に応じた動作を行ない、そのデータから第４の制御情報を取り外して各１本のロジカルチャネルに送り出す複数の第４のデータ処理部とを備えた無線受信装置における無線受信方法において、
上記第３のデータ処理部が、上記第３の制御情報が複数の第４のデータ処理部の動作を制御する制御情報であった場合に、トランスポートチャネルから受け取ったデータから第３の制御情報を取り外して各ロジカルチャネルに対応するデータに分離し、さらに、分離した各ロジカルチャネルごとのデータに、その第３の制御情報と同一内容の、複数の第４のデータ処理部それぞれで取り扱われる第４の制御情報を付加して、各ロジカルチャネルに分配するステップを有することを特徴とする。
【発明の効果】
【００３３】
以上の本発明によれば、トラフィック量を抑えた上で同一内容の制御情報を対向する複数のエンティティに伝えることができる。
【発明を実施するための最良の形態】
【００３４】
以下、本発明の実施形態について説明する。
【００３５】
図４は、本発明の一実施形態が適用された通信システムの一例を示す模式図である。
【００３６】
この図４には、携帯電話機１００と、その携帯電話機１００との間で無線通信が行なわれる基地局２００とが示されいる。尚、実際の通信システムには、多数の携帯電話機や多数の基地局が存在し、さらに、多数の交換機なども存在するが、ここでは、本実施形態の説明に必要な最小限の構成のみ図示している。
【００３７】
携帯電話機１００と基地局２００との間では無線通信が行なわれ、携帯電話機１００が発信側となるときは基地局２００が受信側となり、基地局２００が発信側となるときは携帯電話機１００が受信側となる。すなわち、携帯電話機１００と基地局２００のいずれにも、以下に説明する送信側の構成と受信側の構成が備えられている。
【００３８】
図５は、送信側のデータフローの一例を示す図である。
【００３９】
この図５は、ＬＣＨ＃１〜ＬＣＨ＃４の各ロジカルチャネルに配置された４つのＲＬＣエンティティに対向する受信側の、ＬＣＨ＃１〜ＬＣＨ＃４の各ロジカルチャネルに配置された４つのＲＬＣエンティティに同一の制御情報を伝える場面である。
【００４０】
図３に示す例では、４つのＲＬＣエンティティのそれぞれに制御情報が付与されたが、ここでは、各ＲＬＣエンティティで制御情報を付与するのではなく、それに代わり、その制御情報と同一内容の制御情報ＣＯＮＴをＭＡＣエンティティが付与してレイヤ１に送る。このとき、ＭＡＣエンティティでは、付与する制御情報に、この制御情報が参照されるべき先（ここに示す例では対向側のＬＣＨ＃１〜ＬＣＨ＃４の４つのＲＬＣエンティティ）を表わす情報を含ませておく。
【００４１】
この図５から分かるように、ＭＡＣエンティティで制御情報を付与することにより、図３に示すような、複数のＲＬＣエンティティのそれぞれで制御情報を付与する場合と比べ、送信されるデータサイズが低減され、トラフィック量の抑制が図られる。
【００４２】
図６は、受信側のデータフローの一例を示す図である。
【００４３】
ここでは、ＭＡＣエンティティは、レイヤ１から受け取ったＰＤＵから制御情報ＣＯＮＴが一旦取り外されて、さらに各ＬＣＨのＲＬＣエンティティに渡すべきＳＤＵに分離される。このＭＡＣエンティティでは、取り外した制御情報を参照し、その制御情報が自分（ＭＡＣエンティティ）宛ての制御情報であったときは、その制御情報に従って動作する。ここでは、その制御情報は、各ＬＣＨのＲＬＣエンティティで参照すべき制御情報であるとし、その場合は、各ＬＣＨのＲＬＣエンティティに渡すべく分離されたＳＤＵのそれぞれにその制御情報が付加されて、各ＬＣＨのＲＬＣエンティティに渡される。各ＬＣＨのＲＬＣエンティティは、受け取ったＳＤＵに付加された制御情報を参照し、その制御情報に従って動作する。
【００４４】
図５、図６に示すようなデータフローを採用すると、無線通信のトラフィック量を抑えた上で複数のエンティティに同一の制御情報を伝えることができる。
【００４５】
図７は、本発明の無線送信装置の一実施形態を示すブロック図である。
【００４６】
この無線送信装置１０は、４本のロジカルチャネルＬＣＨ＃１〜ＬＣＨ＃４を有し、各ロジカルチャネルに１つずつ合計４つのＰＤＣＰ生成部１１＿１，１１＿２，１１＿３，１１＿４と、同じく合計４つのＲＬＣ生成部１２＿１，１２＿２，１２＿３，１２＿４が備えられている。さらに、それら４本のロジカルチャネルＬＣＨ＃１〜＃４と１本のトランスポートチャネルＴＲＣＨとの間にはＭＡＣ生成部１３が備えられている。
【００４７】
各ＰＤＣＰ生成部１１＿１，１１＿２，１１＿３，１１＿４は、各ロジカルチャネルＬＣＨ＃１〜ＬＣＨ＃４のそれぞれから受け取ったデータに秘匿処理（暗号化処理）等を施して、次の各ＲＬＣ生成部１２＿１，１２＿２，１２＿３，１２＿４に渡す。各ＲＬＣ生成部１２＿１，１２＿２，１２＿３，１２＿４は、各ロジカルチャネルＬＣＨ＃１〜ＬＣＨ＃４のデータの、ＭＡＣ生成部１３への受け渡しを管理し、各ＲＬＣ生成部１２＿１，１２＿２，１２＿３，１２＿４から受け取ったデータを、ＭＡＣ生成部１３が受け取ることができる状態になったときにＭＡＣ生成部１３に渡し、またＭＡＣ生成部１３に一旦渡したデータであっても通信の失敗等によりＭＡＣ生成部１３から再送要求があったときは、その要求のあったデータをＭＡＣ生成部１３に渡す。
【００４８】
ＭＡＣ生成部１３は、４つのＲＬＣ生成部１２＿１，１２＿２，１２＿３，１２＿４から受け取ったデータを１本のデータに統合して、レイヤ１（物理層）に配置されているＬ１生成部１４に渡す。Ｌ１生成部１４ではＭＡＣ生成部１３から受け取ったデータが実際の電気的な送信信号に変換され、送信部１５によりアンテナ１６を介して空中に無線送信される。
【００４９】
ここで、ロジカルチャネルＬＣＨ＃１〜ＬＣＨ＃４のそれぞれに置かれた各ＰＤＣＰ生成部１１＿１，１１＿２，１１＿３，１１＿４は、対向する受信側の、それぞれ対応する同一のロジカルチャネルのＰＤＣＰ解析部２１＿１，２１＿２，２１＿３，２１＿４（図８参照）に制御情報を伝えることができ、対向側に伝えるべき制御情報があるときは、制御情報を付加した上で同じロジカルチャネル上のＲＬＣ生成部１２＿１，１２＿２，１２＿３，１２＿４にデータを伝える。また、これと同様に、ロジカルチャネルＬＣＨ＃１〜ＬＣＨ＃４のそれぞれに置かれた各ＲＬＣ生成部１２＿１，１２＿２，１２＿３，１２＿４は、対向する受信側の、それぞれ対応する同一のロジカルチャネルのＲＬＣ解析部２２＿１，２２＿２，２２＿３，２２＿４（図８参照）に制御情報を伝えることができ、対向側に伝えるべき制御情報があるときは、制御情報を付加した上でＭＡＣ生成部１３にデータを伝える。
【００５０】
さらに、ＭＡＣ生成部１３でも同様に、対向側のＭＡＣ解析部２３（図８参照）に制御情報を伝えることができ、ＭＡＣ解析部２３に伝えるべき制御情報が存在するときは、制御情報を付加したデータをＬ１生成部１４に渡す。
【００５１】
ここで、ＭＡＣ生成部１３は、ＭＡＣ解析部２３で直接利用される制御情報ではなく、ＲＬＣ解析部２２＿１，２２＿２，２２＿３，２２＿４に伝えるべき制御情報を取り扱うことがある。すなわち、ＲＲＣ（Ｒａｄｉｏ  Ｒｅｓｏｒｃｅ  Ｃｏｎｔｒｏｌ）１７が制御情報を対向側に伝えるべき場面を管理しており、ＲＬＣ制御情報生成部１８は、このＲＲＣ１７から、同一の制御情報を対向側の全てのＲＬＣ解析部２２＿１，２２＿２，２２＿３，２２＿４に伝えるべき場面であることの通知を受け、この通知を受けると、それら全てのＲＬＣ解析部２２＿１，２２＿２，２２＿３，２２＿４に伝えるべき制御情報を生成してＭＡＣ生成部１３に渡す。このとき、この制御情報には、対向側の全てのＲＬＣ解析部２２＿１，２２＿２，２２＿３，２２＿４に伝えるべき制御情報であることも記録しておく。
【００５２】
ＭＡＣ生成部１３は、ＲＬＣ制御情報生成部から制御情報を受け取ると、ＲＬＣ生成部１２＿１，１２＿２，１２＿３，１２＿４から受け取ったデータを統合しさらにその受け取った制御情報を付加してＬ１生成部１４に渡す。Ｌ１生成部１４に伝えられたデータは送信信号に変換され、送信部１５により、アンテナ１６を介して空中に無線送信される。
【００５３】
図８は、本発明の無線受信装置の一実施形態を示すブロック図である。
【００５４】
この無線受信装置２０にも、図８に示す無線送信装置１０と同様に、４本のロジカルチャネルＬＣＨ＃１〜ＬＣＨ＃４を有し、各ロジカルチャネルに１つずつ、合計４つのＰＤＣ解析部２１＿１，２１＿２，２１＿３，２１＿４と、同じく合計４つのＲＬＣ解析部２２＿１，２２＿２，２２＿３，２２＿４が備えられている。さらにそれら４本のロジカルチャネルＬＣＨ＃１〜ＬＣＨ＃４と１本のトランスポートチャネルＴＲＣＨとの間にはＭＡＣ解析部が備えられている。
【００５５】
無線信号がアンテナ２６を介して受信部２５で受信され、その受信により得られた受信信号がレイヤ１（物理層）を構成するＬ１解析部２４に伝えられて、電気的な受信信号から装置内部で取り扱われる形式のデータに変換されてＭＡＣ解析部２３に伝えられる。
【００５６】
ＭＡＣ解析部２３は、Ｌ１解析部２４から受け取ったデータを、各ＲＬＣ解析部２２＿１，２２＿２，２２＿３，２２＿４に分配する。各ＲＬＣ解析部２２＿１，２２＿２，２２＿３，２２＿４は、自分が受け取るべきデータが揃っているかチェックし、未だ受け取っていないデータがあるときは対向するＲＬＣ生成部に再送を要求し、受け取るべきデータが揃ったら同一ロジカルチャネルのＰＤＣＰ解析部２１＿１，２１＿２，２１＿３，２１＿４に渡す。各ＰＤＣＰ解析部２１＿１，２１＿２，２１＿３，２１＿４では秘匿データの解凍等の処理が行なわれて、各ロジカルチャネルに送り出される。
【００５７】
ここで、再送処理は、ＲＬＣ解析部２２＿１，２２＿２，２２＿３，２２＿４だけでなく、ＭＡＣ解析部２３でも、このＭＡＣ解析部２３の処理段階で足りないデータがあれば再送要求処理が行なわれ、Ｌ１解析部２４でも、受信信号を正しくを受け取れなかったときは再送要求処理が行なわれる。
【００５８】
また、ＭＡＣ解析部２３では、受け取ったデータに、対向側のＭＡＣ生成部１３で付加された、このＭＡＣ解析部２３に向けた制御情報があったときは、その制御情報に応じた動作を行ない、各ＲＬＣ解析部２２＿１，２２＿２，２２＿３，２２＿４では、各ＲＬＣ解析部２２＿１，２２＿２，２２＿３，２２＿４が受け取ったデータに対向する各ＲＬＣ生成部１２＿１，１２＿２，１２＿３，１２＿４で付加された制御情報があるときは、その制御情報に応じた動作を行ない、さらに各ＰＤＣＰ解析部２１＿１，２１＿２，２１＿３，２１＿４では、各ＰＤＣＰ解析部２１＿１，２１＿２，２１＿３，２１＿４が受け取ったデータに、対向する各ＰＤＣＰ生成部１１＿１，１１＿２，１１＿３，１１＿４で付加された制御情報があったときは、その制御情報に応じた動作を行なう。
【００５９】
ここで、図７を参照して説明したように、ＭＡＣ生成部１３では、ＭＡＣ解析部２３向けの制御情報のほか、全てのＲＬＣ解析部２２＿１，２２＿２，２２＿３，２２＿４向けの制御情報を付加する場合がある。そこで、図８に示す無線受信装置２０には、ＲＬＣ制御情報解析部２７が置かれており、ＭＡＣ解析部２３が受け取ったデータに制御情報が付加されていたときはその制御情報がＲＬＣ制御情報解析部２７に渡され、ＲＬＣ制御情報解析部２７は、その受け取った制御情報がＭＡＣ解析部２３宛ての制御情報であるか、全てのＲＬＣ解析部２２＿１，２２＿２，２２＿３，２２＿４に宛てた制御情報であるかが分析される。その解析結果はＭＡＣ解析部２３に通知され、その制御情報がＭＡＣ解析部２３で処理すべき制御情報であったときはＭＡＣ解析部２３がその制御情報に従って動作する。一方、その制御情報が、ＲＬＣ解析部２２＿１，２２＿２，２２＿３，２２＿４に伝えられるべき制御情報であったときは、ＭＡＣ解析部２３は、各ロジカルチャネルごとに分離したデータのそれぞれにその制御情報を付加して、各ＲＬＣ解析部２２＿１，２２＿２，２２＿３，２２＿４に送る。各ＲＬＣ解析部２２＿１，２２＿２，２２＿３，２２＿４は、ＭＡＣ解析部２３から受け取ったデータに付加されていた制御情報に従って動作する。
【００６０】
以上の無線送信装置および無線受信装置によれば、複数のＲＬＣ解析部に伝えるべき制御情報が１つで済み、無線通信のトラフィック量を抑えた上で制御情報を複数のＲＬＣ解析部に伝えることができる。
【００６１】
尚、ここでは、ＲＬＣ解析部に伝えるべき制御情報について説明したが、全てのＰＤＣＰ解析部２１＿１，２１＿２，２１＿３，２１＿４に同じ制御情報を伝える場合についても同様である。ただしこの場合、ＲＬＣ解析部では、ＰＤＣＰ解析部に伝えるべき制御情報であるか否かが判定され、ＰＤＣＰ解析部に伝えるべき制御情報であったときは、その制御情報を付加した状態のデータがＰＤＣＰ解析部に伝えられる。
【００６２】
以下、本発明の各種形態を付記する。
【００６３】
（付記１）
複数のロジカルチャネルのうちの各一本のロジカルチャネルのデータ伝送路中の、互いに同一の第１のサブレイヤに置かれ、該各１本のロジカルチャネルから受け取ったデータに、受信側の、該第１のサブレイヤと同一のサブレイヤに置かれた対向エンティティに渡す第１の制御情報を付加して送り出す複数の第１のデータ処理部と、
トランスポートチャネルと複数のロジカルチャネルとの間のデータ伝送を仲立ちする第２のサブレイヤに置かれ、複数のロジカルチャネルから受け取ったデータを統合するとともに、受信側の、該第２のサブレイヤと同一のサブレイヤに置かれた対向エンティティに渡す第２の制御情報を付加してトランスポートチャネルに送り出す第２のデータ処理部と、
前記第２のデータ処理部からトランスポートチャネルを経由して送られてきたデータを受け取って無線で送信するデータ送信部とを備えた無線送信装置において、
受信側の、前記第１のサブレイヤと同一のサブレイヤに置かれた複数の対向エンティティに向けて同一の第１の制御情報を伝える場面であることを判定する制御判定部を備え、
前記第２のデータ処理部は、受信側の、前記第１のサブレイヤと同一のサブレイヤに置かれた複数の対向エンティティに向けて同一の第１の制御情報を伝える場面において、複数のロジカルチャネルから受け取ったデータを統合するとともに、該第１の制御情報と同一の内容の、受信側の、前記第２のサブレイヤと同一のサブレイヤに置かれた対向エンティティで取り扱われる第２の制御情報を付加してトランスポートチャネルに送り出すものであることを特徴とする無線送信装置。
【００６４】
（付記２）
前記第２のデータ処理部は、受信側の、前記第１のサブレイヤと同一のサブレイヤに置かれた複数の対向エンティティに向けて同一の第１の制御情報を伝える場面において、複数のロジカルチャネルから受け取ったデータを統合するとともに、該第１の制御情報と同一の内容であって、さらに、受信側の、前記第２のサブレイヤと同一のサブレイヤに置かれた対向エンティティで取り扱われる制御情報であることを記載した第２の制御情報を付加してトランスポートチャネルに送り出すものであることを特徴とする付記１記載の無線送信装置。
【００６５】
（付記３）
前記第１のデータ処理部は、ＭＡＣエンティティであり、
前記第２のデータ処理部は、ＲＬＣおよびＰＤＣＰのうちの一方のエンテイティであり、
前記制御判定部は、ＲＲＣエンティティであることを特徴とする付記１又は２記載の無線送信装置。
【００６６】
（付記４）
無線で送信されてきたデータを受信してトランスポートチャネルに送り込むデータ受信部と、
トランスポートチャネルと複数のロジカルチャネルとの間のデータ伝送を仲立ちする第３のサブレイヤに置かれ、トランスポートチャネルから受け取ったデータから該データに付加されている第３の制御情報に応じた動作を行ない、該データから該第３の制御情報を取り外しさらに各ロジカルチャネルに対応するデータに分離して各ロジカルチャネルに分配する第３のデータ処理部と、
複数のロジカルチャネルのうちの各１本のロジカルチャネルのデータ伝送路中の、互いに同一の第４のサブレイヤに置かれ、該各１本のロジカルチャネルから受け取ったデータに付加されている第４の制御情報に応じた動作を行ない、該データから該第４の制御情報を取り外して該各１本のロジカルチャネルに送り出す複数の第４のデータ処理部とを備えた無線受信装置において、
前記第３のデータ処理部は、前記第３の制御情報が前記複数の第４のデータ処理部の動作を制御する制御情報であった場合に、トランスポートチャネルから受け取ったデータから該第３の制御情報を取り外して各ロジカルチャネルに対応するデータに分離し、さらに、分離した各ロジカルチャネルごとのデータに、該第３の制御情報と同一内容の、前記複数の第４のデータ処理部それぞれで取り扱われる第４の制御情報を付加して、各ロジカルチャネルに分配するものであることを特徴とする無線受信装置。
【００６７】
（付記５）
前記第３のデータ処理部は、前記第３の制御情報の記載内容に基づいて、該第３の制御情報が前記複数の第４のデータ処理部の動作を制御する制御情報であるか否かを判定するものであることを特徴とする付記４記載の無線受信装置。
【００６８】
（付記６）
前記第３のデータ処理部は、ＭＡＣエンティティであり、
前記第４のデータ処理部は、ＲＬＣおよびＰＤＣＰのうちの一方のエンティティであることを特徴とする付記４又は５記載の無線受信装置。
【００６９】
（付記７）
付記１から３のうちのいずれか１項記載の無線送信装置と、付記４から６のうちのいずれか１項記載の無線受信装置とが搭載されていることを特徴とする無線通信装置。
【００７０】
（付記８）
複数のロジカルチャネルのうちの各一本のロジカルチャネルのデータ伝送路中の、互いに同一の第１のサブレイヤに置かれ、該各１本のロジカルチャネルから受け取ったデータに、受信側の、該第１のサブレイヤと同一のサブレイヤに置かれた対向エンティティに渡す第１の制御情報を付加して送り出す複数の第１のデータ処理部と、
トランスポートチャネルと複数のロジカルチャネルとの間のデータ伝送を仲立ちする第２のサブレイヤに置かれ、複数のロジカルチャネルから受け取ったデータを統合するとともに、受信側の、該第２のサブレイヤと同一のサブレイヤに置かれた対向エンティティに渡す第２の制御情報を付加してトランスポートチャネルに送り出す第２のデータ処理部と、
前記第２のデータ処理部からトランスポートチャネルを経由して送られてきたデータを受け取って無線で送信するデータ送信部とを備えた無線送信装置における無線送信方法において、
受信側の、前記第１のサブレイヤと同一のサブレイヤに置かれた複数の対向エンティティに向けて同一の第１の制御情報を伝える場合であるか否かを判定する第１ステップと、  前記第２のデータ処理部が、前記第１ステップによる、受信側の、前記第１のサブレイヤと同一のサブレイヤに置かれた複数の対向エンティティに向けて同一の第１の制御情報を伝える場面であることの判定を受けて、複数のロジカルチャネルから受け取ったデータを統合するとともに、該第１の制御情報と同一の内容の、受信側の、前記第２のサブレイヤと同一のサブレイヤに置かれた対向エンティティで取り扱われる第２の制御情報を付加してトランスポートチャネルに送り出す第２ステップとを有することを特徴とする無線送信方法。
【００７１】
（付記９）
無線で送信されてきたデータを受信してトランスポートチャネルに送り込むデータ受信部と、
トランスポートチャネルと複数のロジカルチャネルとの間のデータ伝送を仲立ちする第３のサブレイヤに置かれ、トランスポートチャネルから受け取ったデータから該データに付加されている第３の制御情報に応じた動作を行ない、該データから該第３の制御情報を取り外しさらに各ロジカルチャネルに対応するデータに分離して各ロジカルチャネルに分配する第３のデータ処理部と、
複数のロジカルチャネルのうちの各１本のロジカルチャネルのデータ伝送路中の、互いに同一の第４のサブレイヤに置かれ、該各１本のロジカルチャネルから受け取ったデータに付加されている第４の制御情報に応じた動作を行ない、該データから該第４の制御情報を取り外して該各１本のロジカルチャネルに送り出す複数の第４のデータ処理部とを備えた無線受信装置における無線受信方法において、
前記第３のデータ処理部が、前記第３の制御情報が前記複数の第４のデータ処理部の動作を制御する制御情報であった場合に、トランスポートチャネルから受け取ったデータから該第３の制御情報を取り外して各ロジカルチャネルに対応するデータに分離し、さらに、分離した各ロジカルチャネルごとのデータに、該第３の制御情報と同一内容の、前記複数の第４のデータ処理部それぞれで取り扱われる第４の制御情報を付加して、各ロジカルチャネルに分配するステップを有することを特徴とする無線受信方法。
【図面の簡単な説明】
【００７２】
【図１】プロトコル構成図である。
【図２】制御情報を付与した場合のデータフローの一例を示す図である。
【図３】ＲＬＣサブレイヤの全エンティティに対し同じ内容の制御情報を送信する場合の例を示す図である。
【図４】本発明の一実施形態が適用された通信システムの一例を示す模式図である。
【図５】送信側のデータフローの一例を示す図である。
【図６】受信側のデータフローの一例を示す図である。
【図７】本発明の無線送信装置の一実施形態を示すブロック図である。
【図８】本発明の無線受信装置の一実施形態を示すブロック図である。
【符号の説明】
【００７３】
１０    無線送信装置
１１＿１，１１＿２，１１＿３，１１＿４    ＰＤＣＰ生成部
１２＿１，１２＿２，１２＿３，１２＿４    ＲＬＣ生成部
１３    ＭＡＣ生成部
１４    Ｌ１生成部
１５    送信部
１６    アンテナ
１７    ＲＲＣ
１８    ＲＬＣ制御信号生成部
２０    無線受信装置
２１＿１，２１＿２，２１＿３，２１＿４    ＰＤＣＰ解析部
２２＿１，２２＿２，２２＿３，２２＿４    ＲＬＣ解析部
２３    ＭＡＣ解析部
２４    Ｌ１解析部
２５    受信部
２６    アンテナ
２７    ＲＬＣ制御情報解析部
１００    携帯電話機
２００    基地局
【図１】
0004521430.tif 000002
【図２】
0004521430.tif 000003
【図３】
0004521430.tif 000004
【図４】
0004521430.tif 000005
【図５】
0004521430.tif 000006
【図６】
0004521430.tif 000007
【図７】
0004521430.tif 000008
【図８】
0004521430.tif 000009